(57)【要約】      （修正有）【課題】枠組み構造の設計の自由度を損ねることなしに落雷対策のできる太陽光パネル設置台を提供する。【解決手段】節の入った桧の間伐材製の土台用部材４、柱用部材５及び梁用部材を備えた枠組み構造をなす設置台本体２と、この設置台本体の上を覆うように設けられ上面に太陽光パネル設置面を設けた屋根用部材３とを備えてなる。このようなものであれば、従来の金属フレーム製のものに比べて、枠組み構造の設計の自由度を損ねることなしに落雷対策を行うことができる。【選択図】図１
0003188486.tif 000002
【実用新案登録請求の範囲】
【請求項１】
節の入った桧の間伐材製の土台用部材、柱用部材及び梁用部材を備えた枠組み構造をなす設置台本体と、この設置台本体の上を覆うように設けられ上面に太陽光パネル設置面を設けた屋根用部材とを具備してなることを特徴とする太陽光パネル設置台。
【請求項２】
前記設置台本体が、主として三寸角材を用いて作られたものである請求項１記載の太陽光パネル設置台。
【請求項３】
前記設置台本体が、基礎上に固定される前記土台用部材と、この土台用部材上に立設された複数本の前記柱用部材と、これら柱用部材間に架設された前記梁用部材とを備えたものである請求項１または２記載の太陽光パネル設置台。
【請求項４】
前記複数本の柱用部材が、前記設置台本体の一端側から他端側に向かって段階的に高くなるように加工されたものであり、前記屋根用部材が、前記設置台本体の一端側から他端側に向かって漸次上昇するように傾斜したものである請求項１、２または３記載の太陽光パネル設置台。
【請求項５】
前記設置台本体が、前記柱用部材により区画された複数の空間を備えたものである請求項１、２、３または４記載の太陽光パネル設置台。
【請求項６】
前記設置台本体が、特定の空間を壁により囲繞して部屋を形成している請求項５記載の太陽光パネル設置台。
【考案の詳細な説明】
【技術分野】
【０００１】
本考案は、上面に太陽光パネルを設置するための太陽光パネル設置台に関するものである。
【背景技術】
【０００２】
従来、太陽光パネル設置台として、スチールやアルミニウム等金属製のフレーム材を組み立てたものが種々用いられている（例えば、下記特許文献１を参照）。
【０００３】
このような太陽光パネル設置台は、上面の太陽光パネルが太陽光を効率よく受け取れるようにするべく、建物等に遮られることのない広い土地に設置されていることが多い。そのため、天候が不安定なときには、太陽光パネル設置台上に落雷することがある。このような事情があるため、従来の金属製のフレーム材を組み立てた太陽光パネル設置台では、太陽光パネルからフレーム材への導電性を確保することで、落雷などの異常電流を地面に流すような構造を採用していた。
【０００４】
しかしながら、このような構造はフレーム材の形状や固定部材の設計の自由度を損ねてしまうきらいがあった。
【先行技術文献】
【特許文献】
【０００５】
【特許文献１】特開２０１３−１０５７８０号公報
【考案の概要】
【考案が解決しようとする課題】
【０００６】
本考案は、枠組み構造の設計の自由度を損ねることなしに落雷対策のできる太陽光パネル設置台を提供することを目的とする。
【課題を解決するための手段】
【０００７】
本考案は、以上のような課題を解決するために、次のような構成を採用したものである。すなわち、本考案に係る太陽光パネル設置台は、節の入った桧の間伐材製の土台用部材、柱用部材及び梁用部材を備えた枠組み構造をなす設置台本体と、この設置台本体の上を覆うように設けられ上面に太陽光パネル設置面を設けた屋根用部材とを具備してなることを特徴とする。
【０００８】
このようなものであれば、従来の金属製のフレーム材を用いて作られた太陽光パネル設置台に比べて、枠組み構造の設計の自由度を損ねることなしに落雷対策ができる太陽光パネル設置台を提供し得る。
【０００９】
前記設置台本体は、主として三寸角材を用いて作られたものが好ましい。
【００１０】
前記設置台本体の具体的な一態様としては、基礎上に固定される前記土台用部材と、この土台用部材上に立設された複数本の前記柱用部材と、これら柱用部材間に架設された前記梁用部材とを備えたものが挙げられる。
【００１１】
前記複数本の柱用部材が、前記設置台本体の一端側から他端側に向かって段階的に高くなるように加工されたものであり、前記屋根用部材が、前記設置台本体の一端側から他端側に向かって漸次上昇するように傾斜したものが具体的な一態様として挙げられる。
【００１２】
前記設置台本体は、前記柱用部材により区画された複数の空間を備えたものが好ましい。
【００１３】
前記設置台本体の具体的な一態様としては、特定の空間を壁により囲繞して部屋を形成しているものが挙げられる。
【考案の効果】
【００１４】
本考案は、以上のような構成であるから、枠組み構造の設計の自由度を損ねることなしに落雷対策のできる太陽光パネル設置台を提供することができる。
【図面の簡単な説明】
【００１５】
【図１】本考案の第１実施形態に係る太陽光パネル設置台を示す斜視図。
【図２】同実施形態に係る太陽光パネル設置台を示す側面図。
【図３】同実施形態に係る太陽光パネル設置台を一部省略して示す平面図。
【図４】図２のＸ−Ｘ線断面図。
【図５】同実施形態に係る太陽光パネル設置台の設置台本体を示す斜視図。
【図６】本考案の第２実施形態に係る太陽光パネル設置台を示す斜視図。
【図７】同実施形態に係る太陽光パネル設置台を示す側面図。
【図８】同実施形態に係る太陽光パネル設置台を一部省略して示す平面図。
【考案を実施するための形態】
【００１６】
以下、本考案の第１実施形態につき、図１〜図５を参照して説明する。
【００１７】
本実施形態の太陽光パネル設置台１は、太陽光パネルＰを載置するためのもので、平面視矩形状で短手寸法が約４〜５ｍ、長手寸法が約７〜８ｍ、高さが約３ｍの大きさ、すなわち、当該太陽光パネル設置台１内に人が入ることが可能な大きさを有してなる。具体的には、この太陽光パネル設置台１は、節の入った桧の間伐材製の土台用部材４、柱用部材５及び梁用部材６を備えた枠組み構造をなす設置台本体２と、この設置台本体２の上を覆うように設けられ上面に太陽光パネル設置面３１を設けた屋根用部材３とを具備してなる。本実施形態の太陽光パネル設置台１上には、複数の太陽光パネルＰが設置される。具体的には、短手方向に４枚、長手方向に４枚がそれぞれ配置されて、合計１６枚の太陽光パネルＰが太陽光パネル設置台１上に載置されている。
【００１８】
前記設置台本体２は、前記設置台本体２が、基礎上に固定される前記土台用部材４と、この土台用部材４上に立設された複数本の柱用部材５と、これら柱用部材５間に架設された梁用部材６とを備えたものである。
【００１９】
前記土台用部材４は、コンクリート製の基礎の上に配される枠状のもので、三寸角材を用いて作られている。土台用部材４は、桧の間伐材のみによって形成されたものであって、図示しない複数箇所に大小の節が露出しており、強度的に問題のない程度の死節や虫食い穴等も混ざったものである。この土台用部材４には、防腐剤を添加してある。
【００２０】
前記各柱用部材５は、前記土台用部材４の上に配されるもので、三寸角材を用いて作られている。柱用部材５は、桧の間伐材のみによって形成されたものであって、図示しない複数箇所に大小の節が露出しており、強度的に問題のない程度の死節や虫食い穴等も混ざったものである。この柱用部材５には、防腐剤を添加してある。複数本の柱用部材５は、前記設置台本体２の一端２１側から他端２２側に向かって段階的に高くなるように加工されたものである。なお、太陽光を効率よく受け取るべく、一端２１側が南側に位置し、他端２２側が北側に位置するように設定されている。
【００２１】
前記梁用部材６は、前記柱用部材５の上部に配されるもので、三寸角材等を用いて作られている。詳述すれば、梁用部材６は、複数の隣接する柱用部材５の上部に水平な状態で支えられ、当該太陽光パネル設置台１の長手方向に沿う中間梁用部材６１と、複数の隣接する柱用部材５の上端に水平な状態で支えられ、当該太陽光パネル設置台１の短手方向に沿う上端梁用部材６２とを備えてなる。中間梁用部材６１は、短手方向両端側の柱用部材５に沿ってそれぞれ配される２本の五寸角材と、短手方向中間部の柱用部材５に沿って配される１本の三寸角材とを用いて作られている。上端梁用部材６２は、長手方向両端側及び中間部の柱用部材５に沿ってそれぞれ配される３本の三寸角材を用いて作られている。また、この上端梁用部材６２の上面側には、屋根用部材３を受けるための梁用部材６３が配されており、この梁用部材６３は、短手方向に一定の間隔をあけて長手方向に沿って配される複数本の二寸角材を用いて作られている。各梁用部材６は、桧の間伐材のみによって形成されたものであって、図示しない複数箇所に大小の節が露出しており、強度的に問題のない程度の死節や虫食い穴等も混ざったものである。これら各梁用部材６には、防腐剤を添加してある。
【００２２】
しかして、設置台本体２は、前記複数の柱用部材５により区画された複数の空間Ｓ１、Ｓ２、Ｓ３を備えてなる。本実施形態では、設置台本体２の一端２１側に形成され１４本の柱用部材５により囲まれた第１の空間Ｓ１と、設置台本体２の他端２２側に形成され１４本の柱用部材５により囲まれた第２の空間Ｓ２と、前記第１の空間Ｓ１及び第２の空間Ｓ２の側方に形成され１４本の柱用部材５により囲まれた第３の空間Ｓ３とを備えてなる。なお、図示していないが、本実施形態では、前記設置台本体２が、特定の空間を壁により囲繞して部屋を形成している。具体的には、第２の空間Ｓ２を囲むようにして配されたガラス窓付きの壁が配されており、空間Ｓ２の内部側に柱用部材５が露出するように構成されている。
【００２３】
前記屋根用部材３は、前記梁用部材６の上部に配されるもので、例えばトタン等の１枚の金属製平板材を用いて作られている。屋根用部材３は、前記設置台本体２の一端２１側から他端２２側に向かって漸次上昇するように傾斜したものである。
【００２４】
以上説明したように、本実施形態にかかる太陽光パネル設置台１は、節の入った桧の間伐材製の土台用部材４、柱用部材５及び梁用部材６を備えた枠組み構造をなす設置台本体２と、この設置台本体２の上を覆うように設けられ上面に太陽光パネル設置面３１を設けた屋根用部材３とを具備してなる。このようなものであるため、従来のスチール等金属製のフレーム材製のものに比べて、枠組み構造の設計の自由度を損ねることなしに落雷対策ができる。すなわち、設置台本体２が桧の間伐材のみによって作られているので、従来のスチール製の設置台に比べて雷の被害に遭いにくい。その上、設置台本体２が桧の間伐材製のものであるため、スチール製のものに比べて製造時のＣＯ2の排出量を削減し、地球の温暖化の防止にも寄与する。従来は、耐久性、工法、コスト等の理由から、太陽光パネル設置台の大部分をスチール製としているものが多い状況であるが、本実施形態のような桧の間伐材製の太陽光パネル設置台１は、以上に説明したような比較優位性を有している。
【００２５】
さらに、このような桧の間伐材の利用は、山を守り、国土を保全し、水資源を確保するのに重要な役割を担っている。すなわち、人工林は、過密に植えたものを適宜間引いていくことで良質の木材を得るため、その過程で大量の間伐材が発生する。間伐を行わないと、木々が生い茂って地表面に光が届かないため下草が発生せず、下草が発生しないと土壌浸食が進み土砂災害を引き起こす等の影響が生じる。間伐材の利用が促進されれば、このような下草の育成による土砂の流出災害抑制など、森林における種々の問題解決を図ることができるという優れた効果を奏する。また、桧の間伐材の利用は、地元に林業や、パネル設置の雇用を生み出し、地域の活性化に寄与する。また、景観上からも、人の目に優しく、自然の風景の中に、よく調和する。
【００２６】
以上のような様々な観点から見れば、事業を展開する際にコストや採算性等経済的な観点のみからではなく、金属製のものと比べて多少コスト面で高くついても、広く環境問題や地域活性化問題等を勘案した社会事業として展開するための一助として、本実施形態の太陽光パネル設置台１を利用することができる。
【００２７】
また、桧は、乾燥性がよく柔らかく軽いが、耐水性、耐久性に富み、強度が高いという性質を持つ。現在の太陽光発電の買取制度期間が２０年であり、太陽光パネルＰの耐用年数は約３０年であるが、桧の間伐材製の太陽光パネル設置台１は十分にそれらの期間に対応し得るものである。
【００２８】
特に、桧は、一般に高価な材料であるものの、このような間伐材を用いることで、コストをある程度抑えつつ、天然の木材の触感、質感や香りを提供することもできる。すなわち、桧には、光沢がある木肌の白さと独特の香りがあるとともに、リラックスを促す成分（ヒノキチオール）が含まれており、これには防虫効果もある。
【００２９】
また、桧の間伐材が節を有しているので、節部分が他の部分に比べて固く、部材全体としても剛性を有する。さらに、節付近からヤニが出ることにより、部材が比較的腐りにくいという効果もある。
【００３０】
前記設置台本体２が、主として三寸角材を用いて作られたものであるので、間伐材を加工しやすく、かつ、強度を保つこともできる。すなわち、人工林では植林後約５年に１回程度の割合で間引きを行うが、このとき間引きされた間伐材の大きさは、長さは５メートル程度まで、直径は数センチから２０センチ前後までのものがほとんどである。そのため、このような小サイズの、通常の建材に用いにくい木材を有効利用できる。
【００３１】
さらに、設置台本体２に使用される部材が略正方形状の断面を有する角材であるため、板材を用いたものと比べて燃えにくく、表面が炭化すればそれ以上は燃えないため、耐火性にも優れている。また、平板状の板材では経年劣化による反り返り等の歪みが生じやすいが、部材の断面が略正方形状であるため、反り難いという効果を有する。
【００３２】
前記設置台本体２が、基礎上に固定される前記土台用部材４と、この土台用部材４上に立設された複数本の柱用部材５と、これら柱用部材５間に架設された梁用部材６とを備えたものであるので、風雨にさらされる屋外に長期間配置されても、比較的重量のある太陽光パネルＰをしっかりと支え続けることができる。
【００３３】
前記複数本の柱用部材５が、前記設置台本体２の一端２１側から他端２２側に向かって段階的に高くなるように加工されたものであり、前記屋根用部材３が、前記設置台本体２の一端２１側から他端２２側に向かって漸次上昇するように傾斜したものである。そのため、屋根用部材３の太陽光パネル設置面３１を太陽光を受けやすい角度に設定することができるとともに、太陽光パネルＰ上に雨水等が溜まりにくい構造にすることができる。
【００３４】
前記設置台本体２が、前記柱用部材５により区画された複数の空間Ｓ１、Ｓ２、Ｓ３を備えたものであるので、各空間Ｓ１、Ｓ２、Ｓ３を種々の用途に利用できる。
【００３５】
前記設置台本体２が、特定の空間Ｓ２を壁により囲繞して部屋を形成しているので、部屋内は風雨から守られる。そのため、部屋内を人の利用スペースとして使用したり、もしくは、太陽光パネルＰの発電装置等の保管スペースとして使用したりすることができる。
【００３６】
次に、本考案の第２実施形態にかかる太陽光パネル設置台１について、図６〜図８を参照して説明する。なお、第１実施形態と同一またはこれに準ずる部分には同一の符号を付して、詳細な説明を省略する。
【００３７】
本実施形態の太陽光パネル設置台１は、太陽光パネルＰを載置するためのもので、平面視略正方形状をなす各辺の寸法が約３．５〜４ｍ、高さが約１．５ｍの大きさを有しており、第１実施形態のものに比べてコンパクトな形状をなしている。本実施形態の太陽光パネル設置台１上には、複数の太陽光パネルＰが設置されており、２枚×４枚の合計８枚の太陽光パネルＰが太陽光パネル設置台１上に載置されている。
【００３８】
前記設置台本体２は、前記設置台本体２が、基礎上に固定される前記土台用部材４と、この土台用部材４上に立設された複数本の柱用部材５と、これら柱用部材５間に架設された梁用部材６と、前記柱用部材５間に斜めに架設された複数本の筋交い用部材７とを備えたものである。本実施形態の設置台本体２は、全てが三寸角材を用いて作られている。
【００３９】
前記各筋交い用部材７は、一端側を土台用部材４側に固定するとともに他端側を梁用部材６側に固定して柱用部材５間に配されるもので、三寸角材を用いて作られている。各筋交い用部材７は、桧の間伐材のみによって形成されたものであって、図示しない複数箇所に大小の節が露出しており、強度的に問題のない程度の死節や虫食い穴等も混ざったものである。これら各筋交い用部材７には、防腐剤を添加してある。
【００４０】
前記梁用部材６は、前記柱用部材５の上部に配されるもので、三寸角材を用いて作られている。詳述すれば、梁用部材６は、複数の隣接する柱用部材５の上部に水平な状態で支えられ、当該太陽光パネル設置台１の一辺に沿う中間梁用部材６１と、複数の隣接する柱用部材５の上端に水平な状態で支えられ、当該太陽光パネル設置台１の他辺に沿う上端梁用部材６２とを備えてなる。各梁用部材６は、桧の間伐材のみによって形成されたものであって、図示しない複数箇所に大小の節が露出しており、強度的に問題のない程度の死節や虫食い穴等も混ざったものである。これら各梁用部材６には、防腐剤を添加してある。
【００４１】
このようなものであれば、第１実施形態と同一またはこれに準じた効果を得ることができる。さらに、第１実施形態のものと比べて比較的コンパクトであるため、組み立てた状態での持ち運びが可能となり、設置場所の選択の自由度を向上させ、設置作業を簡略化させることができる。
【００４２】
なお、本考案は以上に述べた実施形態に限られない。
【００４３】
例えば、太陽光パネルの枚数及び形状等は、図示したものに限られず種々変更可能である。
【００４４】
設置台本体は、組み立てた状態で基礎上に配されるものの他、現場で組み立てるものであってもよい。また、土台用部材、柱用部材、梁用部材の大きさ、形状、配置等は図示したものの他、種々変更可能である。特に、上述した第１実施形態では、保温性を向上させるべく梁用部材を重ねるように配していたが、このようなものには限られず、支柱の上端に直接屋根用部材を取り付けるようにしたものであってもよい。
【００４５】
屋根用部材の素材や大きさ、形状等はどのようなものであってもよく、その上面全体を太陽光パネル設置面としたものであってもよい。
【００４６】
その他、本考案の趣旨を損ねない範囲で種々に変更してよい。
【符号の説明】
【００４７】
１…太陽光パネル設置台
２…設置台本体
２１…一端
２２…他端
３…屋根用部材
３１…太陽光パネル設置面
４…土台用部材
５…柱用部材
６…梁用部材
Ｓ１、Ｓ２、Ｓ３…空間
【図１】
0003188486.tif 000003
【図２】
0003188486.tif 000004
【図３】
0003188486.tif 000005
【図４】
0003188486.tif 000006
【図５】
0003188486.tif 000007
【図６】
0003188486.tif 000008
【図７】
0003188486.tif 000009
【図８】
0003188486.tif 000010